(57)【特許請求の範囲】
【請求項１】
導電材により形成されてその内部に電池を収容するケースと、非導電材により形成されて前記ケースの外周に装着される端子台と、導電材により形成されて前記端子台に装着される端子カバーと、を備える電池パックにおいて、
前記端子カバー及び前記ケースの双方に接触される導電材からなる導通部材を備える
ことを特徴とする電池パック。
【請求項２】
前記端子台には、当該端子台を前記ケースに装着するための端子台装着ボルトの取り付けられる端子台装着ボルト取付部と、当該端子台に前記端子カバーを装着するための端子カバー装着ボルトの取り付けられる端子カバー装着ボルト取付部とが設けられ、
導電材により形成されて前記端子台装着ボルト取付部と前記端子カバー装着ボルト取付部を繋ぐバスバーを、前記導通部材として備える
請求項１に記載の電池パック。
【請求項３】
導電材により形成されてその内部に電池を収容するケースと、非導電材により形成されて前記ケースの外周に装着される端子台と、導電材により形成されて前記端子台に装着される端子カバーと、を備える電池パックにおいて、
前記端子台には、当該端子台を前記ケースに装着するための端子台装着ボルトの取り付けられる端子台装着ボルト取付部と、当該端子台に前記端子カバーを装着するための端子カバー装着ボルトの取り付けられる端子カバー装着ボルト取付部とが設けられ、
導電材により形成されて前記端子台装着ボルト取付部と前記端子カバー装着ボルト取付部とを繋ぐバスバーを備えるとともに、そのバスバーを通じて前記ケースと前記端子カバーとが電気的に導通されてなる
ことを特徴とする電池パック。
【請求項４】
前記端子台装着ボルト取付部には、導電材からなるカラーが設けられるとともに、そのカラーを通じて、前記バスバーと前記ケースとが電気的に導通されてなる
請求項２又は３に記載の電池パック。
【請求項５】
前記端子台には、前記バスバーが２箇所に設けられてなる
請求項２〜４のいずれか１項に記載の電池パック。
【請求項６】
前記導電材は、前記端子台と前記端子カバーとの間に介設されて、その周縁部にて前記ケースに接触されるアースプレートである
請求項１に記載の電池パック。
【請求項７】
前記端子台には、同端子台からの前記端子カバーの取り外しに応じて、前記端子台に設けられる端子接続部と前記電池パックの本体に収容される電池との導通を遮断するスイッチが設置されてなる
請求項１〜６のいずれか１項に記載の電池パック。
【請求項８】
前記端子台と前記端子カバーとの当接面間をシールするシール部材が設けられてなる
請求項１〜７のいずれか１項に記載の電池パック。
【請求項９】
前記端子台には、丸端子が接続される
請求項１〜８のいずれか１項に記載の電池パック。
【発明の詳細な説明】
【技術分野】
【０００１】
本発明は、電池パックに係り、詳しくはその端子部のシールドに使用される端子カバーの接地を確保するための構造の改良に関する。
【背景技術】
【０００２】
ハイブリッド自動車や電気自動車などには、電源として高電圧の電池パックが搭載されている。こうした電池パックと車両の高電圧部との接続は、電池パックに設けられた端子台にコネクタや丸端子を接続することで行われるようになっている。
【０００３】
こうした電池パックの高電圧部からは電磁ノイズが発生する。そのため、電池パックに接続される高電圧電線にはシールド機能を持ったものが使用されている。また電池パック本体にも、その内部に収容される電池を金属製のケースで覆った構造とするとともに、そのケースを接地することで、シールド機能を持たせている。
【０００４】
ここで上記端子台のコネクタや丸端子の接続部は、高電圧電線のシールドと電池パック本体のシールドとが途切れる部分となっている。高電圧電線のシールドと電池パック本体のシールドとを接続する構造を内部に有するコネクタであれば、そうした部分のシールドの途切れを解消することが可能である。しかしながら、自身にシールド機能を備えていない単純な丸端子などでは、端子接続部から電磁ノイズが漏出してしまうようになる。
【０００５】
そこで従来、そうした場合には、図９に示すように、端子台１０１を覆うように金属製の端子カバー１０２を、電池パック本体のケース１００に装着するようにしている。これにより、高電圧電線１０３，１０４の先端に設けられた丸端子１０５，１０６の接続される端子台１０１の端子接続部１０７，１０８が、端子カバー１０２によって覆われるようになる。図１０に端子台１０１周辺の断面構造を示すように、端子カバー１０２は、電池パック本体のケース１００に直接取り付けられており、そのケース１００を通じて接地されている。そのため、端子台１０１の端子接続部１０７，１０８からの電磁ノイズの漏出を、この端子カバー１０２によって好適に防止することができるようになっている。
【特許文献１】特開２００３−１１５６７９号公報
【発明の開示】
【発明が解決しようとする課題】
【０００６】
ところで、電池パックによっては、端子台にＨＶＩＬ（Ｈｉｇｈ  Ｖｏｌｔａｇｅ  Ｉｎｔｅｒ  Ｌｏｃｋ）スイッチが設置されることがある。このＨＶＩＬスイッチは、端子カバーの取り外しに応じて端子接続部と電池との導通を遮断するスイッチであり、端子カバーが取り外されて外部に露出した端子台の端子接続部に高電圧が印加されないようにするための一種の安全装置となっている。こうしたＨＶＩＬスイッチを端子台に設置する場合には、端子カバーの取り外し、取り付けに応じて同スイッチが確実に安定して開閉されるようにする必要がある。そのため、こうした場合には、図１１に示すように、端子台１０９に設置されたＨＶＩＬスイッチ１１０を開閉するための突起１１１の設けられた端子カバー１１２は、電池パック本体のケース１００ではなく、ＨＶＩＬスイッチ１１０の設置された端子台１０９に直接装着することになる。この場合には、図１２に端子台１０９周辺部の断面構造を示すように、端子カバー１１２は、電池パック本体のケース１００には直接接触されないようになる。
【０００７】
また端子接続部への水などの侵入を防ぐため、端子カバーにシール部材が設けられることもある。そしてそうした場合にも、端子台、端子カバー間を確実にシールするために、端子カバーを端子台に直接装着することがある。
【０００８】
このように、端子カバーを電池パック本体のケースではなくて端子台に装着する構造とする場合には、端子カバーとケースとの間の電気的導通を確立することができず、端子カバーが接地されないため、端子接続部のシールド性能を十分に確保できなくなってしまうようになる。
【０００９】
なお特許文献１には、導電性のケース内に収容されるプリント基板について、そのプリント基板の取付用のボスに設けられたアースプレートを介してケースとプリント基板とを電気的に導通させて、プリント基板を接地させる構造が記載されている。しかしながら、こうした接地構造を、上記のような電池パックの端子カバーの接地構造として採用することには無理がある。
【００１０】
本発明は、端子台に装着される端子カバーと電池パック本体とが直接接触されていない場合であれ、それらを電気的に導通させて、端子カバーによる端子接続部のシールド性能を好適に確保することのできる電池パックを提供することにある。
【課題を解決するための手段】
【００１１】
上記課題を解決するため、請求項１に記載の発明は、導電材により形成されてその内部に電池を収容するケースと、非導電材により形成されて前記ケースの外周に装着される端子台と、導電材により形成されて前記端子台に装着される端子カバーと、を備える電池パックにおいて、前記端子カバー及び前記ケースの双方に接触される導電材からなる導通部材を備えることをその要旨としている。
【００１２】
上記構成では、端子カバーが端子台に装着されており、電池パック本体のケースと端子カバーとが直接接触されていないにも関わらず、導通部材を通じて電池パック本体のケースと端子カバーとが電気的に導通されるようになる。そのため、電池パック本体のケースを接地させれば、端子カバーも接地されるようになり、端子カバーによる端子接続部のシールド性能を好適に確保することができる。
【００１３】
請求項２に記載の発明は、請求項１に記載の電池パックにおいて、前記端子台には、当該端子台を前記ケースに装着するための端子台装着ボルトの取り付けられる端子台装着ボルト取付部と、当該端子台に前記端子カバーを装着するための端子カバー装着ボルトの取り付けられる端子カバー装着ボルト取付部とが設けられ、導電材により形成されて前記端子台装着ボルト取付部と前記端子カバー装着ボルト取付部を繋ぐように設けられたバスバーを、前記導通部材として備えることをその要旨としている。
【００１４】
上記構成では、端子台をケースに装着するための端子台装着ボルトの取り付けられる端子台装着ボルト取付部と、端子カバーを端子台に装着するための端子カバー装着ボルトの取り付けられる端子カバー装着ボルト取付部との２つのボルト取付部を繋ぐように設けられたバスバーを通じて、電池パック本体のケースと端子カバーとの電気的導通が確立されるようになる。そのため、比較的簡易な構成の変更のみで、端子カバーの接地を確保することができ、端子カバーによる端子接続部のシールド性能を好適に確保することができるようになる。
【００１５】
また上記課題を解決するため、請求項３に記載の発明は、導電材により形成されてその内部に電池を収容するケースと、非導電材により形成されて前記ケースの外周に装着される端子台と、導電材により形成されて前記端子台に装着される端子カバーと、を備える電池パックにおいて、前記端子台には、当該端子台を前記ケースに装着するための端子台装着ボルトの取り付けられる端子台装着ボルト取付部と、当該端子台に前記端子カバーを装着するための端子カバー装着ボルトの取り付けられる端子カバー装着ボルト取付部とが設けられ、導電材により形成されて前記端子台装着ボルト取付部と前記端子カバー装着ボルト取付部を繋ぐように設けられたバスバーを備えるとともに、そのバスバーを通じて前記ケースと前記端子カバーとが電気的に導通されてなることをその要旨としている。
【００１６】
上記構成では、端子台をケースに装着するための端子台装着ボルトの取り付けられる端子台装着ボルト取付部と、端子カバーを端子台に装着するための端子カバー装着ボルトの取り付けられる端子カバー装着ボルト取付部との２つのボルト取付部を繋ぐように設けられたバスバーを通じて、電池パック本体のケースと端子カバーとの電気的導通が確立されるようになる。そのため、比較的簡易な構成の変更のみで、端子カバーの接地を確保することができ、端子カバーによる端子接続部のシールド性能を好適に確保することができるようになる。
【００１７】
請求項４に記載の発明は、請求項２又は３に記載の電池パックにおいて、前記端子台装着ボルト取付部には、導電材からなるカラーが設けられるとともに、そのカラーを通じて、前記バスバーと前記ケースとが電気的に導通されてなることをその要旨としている。
【００１８】
上記構成では、端子台装着ボルト取付部と前記端子カバー装着ボルト取付部とを繋ぐように設けられたバスバーと、端子台装着ボルト取付部に設けられたカラーとを通じて、ケースと端子カバーとの電気的導通が確立されるようになる。
【００１９】
請求項５に記載の発明は、請求項２〜４のいずれか１項に記載の電池パックにおいて、前記端子台には、前記バスバーが２箇所に設けられてなることをその要旨としている。
上記構成では、バスバーを介したケース、端子カバー間の電気的導通の経路が２箇所設けられるようになる。そのため、接触不良などにより、一方の経路を通じた電気的導通が確立できない場合にも、端子カバーの接地を維持することが、すなわち端子接続部のシールド性能を好適に維持することが可能となり、信頼性を向上することができる。
【００２０】
請求項６に記載の発明は、請求項１に記載の電池パックにおいて、前記端子台と前記端子カバーとの間に介設されて、その周縁部にて前記ケースに接触されるアースプレートを前記導電材として備えることをその要旨としている。
【００２１】
上記構成では、電池パック本体のケースと端子カバーとの双方に接触する、導電材からなるアースプレートを通じて、それらケース、端子カバー間の電気的導通が確立されるようになる。
【００２２】
請求項７に記載の発明は、請求項１〜６のいずれか１項に記載の電池パックにおいて、前記端子台には、同端子台からの前記端子カバーの取り外しに応じて、前記端子台に設けられる端子接続部と前記電池パックの本体に収容される電池との導通を遮断するスイッチが設置されてなることをその要旨とする。
【００２３】
端子台に上記のようなスイッチ、いわゆるＨＶＩＬスイッチを設ける場合、同スイッチを確実に動作させるためには、端子カバーを端子台に直接装着する必要があり、端子カバーを電池パック本体のケースに直接取り付けることができないようになることがある。すなわち、電池パック本体のケースと端子カバーとを直接には、電気的に導通させることができないようになる。上記構成では、こうした電池パックにおいても、電池パック本体のケースと端子カバーとの電気的な導通を確立することができ、端子カバーによる端子接続部のシールド性能を確保することができる。
【００２４】
請求項８に記載の発明は、請求項１〜７のいずれか１項に記載の電池パックにおいて、前記端子台と前記端子カバーとの当接面間をシールするシール部材が設けられてなることをその要旨としている。
【００２５】
こうしたシール部材が設けられる場合にも、それによるシールを確実に行うために端子カバーを端子台に直接装着する必要があり、端子カバーを電池パック本体のケースに直接取り付けることができないようになることがある。上記構成では、こうした電池パックにおいても、電池パック本体のケースと端子カバーとの電気的な導通を確立することができ、端子カバーによる端子接続部のシールド性能を確保することができる。
【００２６】
請求項９に記載の発明は、請求項１〜８のいずれか１項に記載の電池パックにおいて、前記端子台には、丸端子が接続されることをその要旨とする。
丸端子を用いる場合、端子自体にシールド機能を持たせることができないため、端子カバーによるシールドが必要となる。その点、上記構成によれば、そうした端子カバーが電池パック本体のカバーと電気的に導通されており、その接地が確立されているため、そうした丸端子の接続部より漏出する電磁ノイズを好適にシールドすることができるようになる。
【発明の効果】
【００２７】
本発明の電池パックによれば、端子台に装着される端子カバーと電池パック本体とが直接接触されていない場合であれ、それらを電気的に導通させて、端子カバーによる端子接続部のシールド性能を好適に確保することができる。
【発明を実施するための最良の形態】
【００２８】
以下、本発明の電池パックを具体化した一実施形態を、図１〜図６を参照して詳細に説明する。本実施形態の電池パックは、ハイブリッド車や電気自動車などの車両の電源として使用されるものとなっている。
【００２９】
こうした電池パックの本体部分は、金属製であり、導電材にて形成されたケースによって外装されており、そのケースの内部に電池を収容したものとなっている。図１に示すように、こうした電池パック本体のケース１０の側部外周には、樹脂成形品であり、非導電材で形成された端子台１１が装着されている。この端子台１１には、車両の高電圧部から延伸された高電圧電線の先端に設けられた丸端子が接続されるようになっている。そして端子台１１には、図２に示す態様で、その上面を覆うように、金属製であり、導電材にて形成された端子カバー１２が装着されるようになっている。なお電池パック本体のケース１０は、車両搭載時に接地がなされるものとなっている。
【００３０】
このように本実施形態の電池パックでは、その端子カバー１２は端子台１１に装着され、電池パック本体のケース１０に直接には接触されないものとなっている。本実施形態では、こうした端子カバー１２とケース１０との電気的導通を確立し、ひいては端子カバー１２を接地させることで、同端子カバー１２による端子接続部のシールド性能を好適に確保するものとなっている。
【００３１】
続いてこうした本実施形態の電池パックの端子台１１の詳細について説明する。図３は、端子台１１の平面構造を、図４は、端子台１１の分解斜視構造をそれぞれ示すものとなっている。
【００３２】
図３に示すように、端子台１１には、高電圧電線の先端に設けられた丸端子がそれぞれ接続される２つの端子接続部１３，１４が設けられており、その端子接続部１３，１４には、丸端子を締結するためのスタッドボルト１５，１６がそれぞれ設けられている。また両端子接続部１３，１４の先端には、接続された高電圧電線を保持して被覆の損傷などから保護するための、ゴム等の弾性体からなるグロメット１７が設けられている。
【００３３】
また端子台１１には、ＨＶＩＬスイッチ１８が設置されている。このＨＶＩＬスイッチ１８は、端子カバー１２の裏面より立設された突起１９（図５参照）がその内部に挿入されることで閉じられて、電池パック内に収容された電池と端子接続部１３，１４との導通を確立する。またＨＶＩＬスイッチ１８は、上記突起１９がその内部から抜き出されることで開かれて、電池と端子接続部１３，１４との導通を遮断する。すなわち、このＨＶＩＬスイッチ１８は、端子台１１からの端子カバー１２の取り外しに応じて、端子台に設けられる端子接続部１３，１４と電池パック本体に収容される電池との導通を遮断するスイッチとなっている。
【００３４】
さらに端子台１１には、これを電池パック本体のケース１０に装着するための端子台装着ボルトがそれぞれ取り付けられる３つの端子台装着ボルト取付部２６〜２８が設けられている。これらの端子台装着ボルト取付部２６〜２８にはそれぞれ、金属製であり、導電材にて形成されたインサートカラー３２〜３４が取り付けられている。なお図３には、端子台装着ボルト取付部２８に設けられたインサートカラー３４のみが示されているが、図４に示すように他の端子台装着ボルト取付部２６，２７にも、インサートカラー３２，３３が同様の態様で取り付けられている。
【００３５】
また端子台１１には、これに端子カバー１２を装着するための端子カバー装着ボルトが取り付けられる４つの端子カバー装着ボルト取付部３５〜３８が設けられてもいる。これらの端子カバー装着ボルト取付部３５〜３８にはそれぞれ、金属製のインサートナット４３〜４６が設けられている。なお図３には、端子カバー装着ボルト取付部３７，３８に設けられたインサートナット４５，４６のみが示されているが、図４に示すように他の端子カバー装着ボルト取付部３５，３６にも、インサートナット４３，４４が同様の態様で設けられている。
【００３６】
さて本実施形態の電池パックでは、こうした端子台１１にはその２箇所に、端子カバー１２の接地用のバスバー４７，４８が設置されている。これら接地用のバスバー４７，４８は、金属製であり、導電材にて形成されたものとなっている。図４に示すように、バスバー４７は、互いに隣接して設置された端子台装着ボルト取付部２６と端子カバー装着ボルト取付部３５とを繋ぐように設置される。またもう一つのバスバー４８は、同様に互いに隣接して設置された端子台装着ボルト取付部２７と端子カバー装着ボルト取付部３６とを繋ぐように設置される。
【００３７】
次に、こうした端子台１１に装着される端子カバー１２の詳細について説明する。図５は、端子カバー１２の裏面側から見た斜視構造を示している。
同図に示すように、端子カバー１２の裏面には、端子台１１の上記ＨＶＩＬスイッチ１８を同端子カバー１２の脱着に応じて開閉させるための突起１９が立設されている。また端子カバー１２の裏面にあって、端子台１１の端子接続部１３，１４や上記ＨＶＩＬスイッチ１８に当接される部分には、ゴム等の弾性体からなるシール部材２０，２１が装着されており、端子接続部１３，１４やＨＶＩＬスイッチ１８への水等の侵入を防止する構造とされている。なお端子接続部１３，１４に当接されるシール部材２０は、端子台１１のグロッメットと共に高電圧電線を挟持して保護する機能を兼ねてもいる。さらに端子カバー１２には、これを端子台１１に装着するためのボルト（端子カバー装着ボルト）が挿入される４つのボルト挿入孔２２〜２５が形成されている。
【００３８】
以上のように構成された本実施形態の電池パックでは、端子カバー１２を端子台１１に装着した際に、上述したバスバー４７，４８を通じて、電池パック本体のケース１０と端子カバー１２とが電気的に導通され、ひいては端子カバー１２が接地されるようになっている。こうしたバスバー４７，４８を通じたケース１０、端子カバー１２の電気的に導通は、より具体的には以下の態様でなされている。
【００３９】
図６は、バスバー４７の設置部周辺の断面構造を模式的に示したものである。同図に示すように、端子台１１に設けられた端子台装着ボルト取付部２６には、端子台装着ボルト４９が挿入されて、電池パック本体のケース１０の裏面に固定されたナット５０にねじ止めされている。また端子カバー１２に設けられたボルト挿入孔２２には、端子カバー装着ボルト５１が挿入され、端子台１１の端子カバー装着ボルト取付部３５に設けられたインサートナット４３にねじ止めされている。
【００４０】
ここでバスバー４７は、その一端側において、端子台装着ボルト取付部２６の上面と端子台装着ボルト４９のボルトヘッドとの間に挟み込まれ、またもう一端側において、端子カバー装着ボルト取付部３５の上面と端子カバー１２との間に挟み込まれている。これにより、バスバー４７は、端子台装着ボルト取付部２６に設けられたインサートカラー３２の上面と、端子カバー１２の裏面とにそれぞれ接触された態様で固定されている。さらにインサートカラー３２の下面は、電池パック本体のケース１０の該表面に接触されている。ここでインサートカラー３２及びバスバー４７はいずれも、導電材により形成されていることから、これらインサートカラー３２及びバスバー４７を通じて、電池パック本体のケース１０と端子カバー１２とが電気的に導通されるようになる。そして上述したように電池パック本体のケース１０は接地されることから、そのケース１０を通じて端子カバー１２も接地されることになる。
【００４１】
なお端子台装着ボルト取付部２７と端子カバー装着ボルト取付部３６とを繋ぐように設置されたバスバー４８についても、これと同様の態様で設置されている。そして端子台装着ボルト取付部２７に設けられたインサートカラー３３、及びこのバスバー４８を通じても、電池パック本体のケース１０と端子カバー１２とが電気的に導通されている。すなわち、本実施形態の電池パックでは、ケース１０と端子カバー１２との電気的導通の経路が個別に２箇所設けられたものとなっている。
【００４２】
なお、こうした本実施形態では、インサートカラー３２，３３及びバスバー４７，４８が、上述した、端子カバー１２及びケース１０の双方に接触される導電材からなる導通部材に相当する構成となっている。
【００４３】
以上説明した本実施形態の電池パックによれば、以下の効果を奏することができる。
（１）本実施形態の電池パックでは、端子台１１の端子台装着ボルト取付部２６，２７と端子カバー装着ボルト取付部３５，３６とを繋ぐように設けられた、導電材からなるバスバー４７，４８を備えている。そして端子台装着ボルト取付部２６，２７に設けられたインサートカラー３２，３３と、これらバスバー４７，４８とを通じて、電池パック本体のケース１０と端子カバー１２とが電気的に導通されている。そのため、比較的簡易な構成の変更のみで、端子カバー１２の接地を確保することができ、端子カバー１２による端子接続部１３，１４のシールド性能を好適に確保することができるようになる。
【００４４】
（２）本実施形態の電池パックでは、端子台装着ボルト取付部２６，２７に設けられたインサートカラー３２，３３を通じてバスバー４７，４８とケース１０とが電気的に導通されている。そのため、比較的簡易な構成で、バスバー４７，４８を通じたケース１０、端子カバー１２間の電気的導通を確実に確保することができるようになる。
【００４５】
（３）本実施形態の電池パックでは、バスバー４７，４８を通じたケース１０、端子カバー１２間の電気的導通の経路が２箇所設けられている。そのため、接触不良などにより、一方の経路を通じた電気的導通が確立できない場合にも、端子カバー１２の接地を維持することが、すなわち端子接続部１３，１４のシールド性能を好適に維持することが可能となり、信頼性を向上することができる。
【００４６】
（４）本実施形態の電池パックでは、電池パック本体のケース１０に端子カバー１２を直接装着することなく、端子カバー１２の接地を確保している。そのため、端子カバー１２を端子台１１に装着する構造として、ＨＶＩＬスイッチ１８の動作性や、シール部材２０，２１による端子接続部１３，１４やＨＶＩＬスイッチ１８のシール性を好適に確保した上で、端子カバー１２による端子接続部１３，１４のシールドを確立することができる。
【００４７】
（５）本実施形態の電池パックでは、高電圧電線を端子接続部１３，１４に接続するための端子として、自身にシールド機能を持たない丸端子を採用しながらも、端子カバー１２によって、端子接続部１３，１４からの電磁ノイズの漏出を好適に防止することができる。
【００４８】
以上説明した本実施形態の電池パックは、以下のように変更して実施することもできる。
・バスバー４７，４８の形状は、これにより繋げられる端子台装着ボルト取付部と端子カバー装着ボルト取付部の位置関係等に応じて適宜変更しても良い。要は、端子台装着ボルト取付部と端子カバー装着ボルト取付部とを繋ぐように設けられ、導電材により形成されていれば、端子台装着ボルト取付部、端子カバー装着ボルト取付部間の電気的導通を、ひいては電池パック本体のケース１０と端子カバー１２との電気的導通を確立することが可能となる。なお、バスバー４７，４８の形状の複雑化やその大型化を避けるためには、これらバスバー４７，４８により繋がれる端子台装着ボルト取付部と端子カバー装着ボルト取付部とは、可能な限り近い位置に設けることが望ましい。
【００４９】
・上記実施形態の電池パックでは、バスバー４７，４８とケース１０との電気的導通を、端子台装着ボルト取付部２６，２７に設けられたインサートカラー３２，３３を通じて行うようにしていたが、インサートカラー３２，３３以外の部材を通じてそうした電気的導通を確立するようにしても良い。例えば端子台装着ボルト４９とナット５０とを導電材にて形成し、それら端子台装着ボルト４９及びナット５０を通じてバスバー４７，４８とケース１０との電気的導通を確立することも可能である。
【００５０】
・上記実施形態の電池パックでは、端子台１１にバスバー４７，４８を２つ設け、それらバスバー４７，４８を通じた端子カバー１２、ケース１０間の電気的導通の経路を２箇所に設けるようにしていたが、そうした電気的導通の経路が接触不良などに起因して途切れる蓋然性を無視し得るであれば、そうしたバスバーによる電気的導通の経路を１箇所のみ設けるようにしても良い。また必要があれば、そうしたバスバーによる電気的導通の経路を３箇所以上設けるようにしても良い。
【００５１】
・上記実施形態の電池パックでは、端子カバー１２にシール部材２０，２１が、また端子台１１にＨＶＩＬスイッチ１８がそれぞれ設置されていたが、必要が無ければ、それらの一方、或いは双方を割愛するようにしても良い。そうした場合であれ、端子カバー１２が端子台１１に装着され、電池パック本体のケース１０に直接接触されていない構成となっていれば、上記バスバーを通じてケース１０、端子カバー１２間を電気的に導通させることで、端子カバー１２による端子接続部１３，１４のシールド性能を好適に確保することができる。
【００５２】
（他の実施形態）
上記実施形態では、端子台１１に装着されて、電池パック本体のケース１０には直接接触されない端子カバー１２を、端子台１１の端子台装着ボルト取付部２６，２７と端子カバー装着ボルト取付部３５，３６とを繋ぐように設けられた導電材からなるバスバー４７，４８により、ケース１０に電気的に導通されるようにしていた。もっとも、端子カバー１２とケース１０との双方に接触される導電材からなる何らかの導通部材が備えられていれば、電池パック本体のケース１０と端子カバー１２との電気的導通を確立することができる。
【００５３】
例えば図７に示される本発明の電池パックの一構成例では、電池パック本体のケース６０の外周に装着された端子台６１とその端子台６１に装着される端子カバー６２との間にアースプレート６３を介設するとともに、そのアースプレート６３の周縁部６３ａがケース６０に接触する構造としている。より詳しくは、端子台６１には、その上面を覆うように、導電材により形成された上記アースプレート６３が装着され、その後、その上にさらに端子カバー６２が装着されるようになっている。なお端子台６１は、高電圧電線６４，６５の先端に設けられた丸端子６６，６７の接続される端子接続部６８，６９が設けられるとともに、ＨＶＩＬスイッチ７０が設置されたものとなっている。
【００５４】
こうして端子台１１と端子カバー１２との間に介設されるアースプレート６３は、端子カバー６２に比して薄い板厚とされており、比較的容易に弾性変形可能となっている。そして図８に示すように、こうしたアースプレート６３は、ケース１０に接触されるその周縁部６３ａが撓んだ状態で設置されており、その弾性反発力によってケース１０に押圧する方向に周縁部６３ａが常時付勢されている。そのため、ケース１０とアースプレート６３との接触を常時安定して維持可能となっている。
【００５５】
こうした構成によっても、ケース６０と端子カバー６２との双方に接触する、導電材からなるアースプレート６３を通じて、ケース６０、端子カバー６２間を電気的に導通させることができる。そのため、電池パック本体のケース６０を接地させれば、端子カバー６２も接地されるようになり、端子カバー６２による端子接続部６８，６９のシールド性能を好適に確保することができるようになる。
【００５６】
以上説明した各実施形態は、以下のように変更して実施することもできる。
・ＨＶＩＬスイッチを端子台に設置しない構成の電池パックにも、本発明は同様に適用することができる。
【００５７】
・車両の電源以外の用途の電池パックにも、本発明を、上記実施形態と同様、或いはそれに準じた態様で適用することができる。要は、導電材により形成されてその内部に電池を収容するケースと、非導電材により形成されてケースの外周に装着される端子台と、導電材により形成されて端子台に装着される端子カバーと、を備える電池パックであれば、本発明の適用が可能である。
【図面の簡単な説明】
【００５８】
【図１】本発明の一実施形態に係る電池パックについてその端子カバーが分離された状態における端子台付近の斜視構造を示す斜視図。
【図２】同実施形態の電池パックについてその端子カバーが装着された状態における端子台付近の斜視構造を示す斜視図。
【図３】同実施形態の電池パックについてその端子台の平面構造を示す平面図。
【図４】同実施形態の電池パックについてその端子台の分解斜視構造を示す斜視図。
【図５】同実施形態の電池パックについてその端子カバーの裏面側から見た斜視構造を示す斜視図。
【図６】同実施形態の電池パックについてその端子カバーの接地構造を模式的に示す断面図。
【図７】本発明の他の実施形態に係る電池パックについてその端子台周辺部の分解斜視構造を示す斜視図。
【図８】同じく他の実施形態の電池パックについてその端子台周辺部の断面構造を示す断面図。
【図９】従来の電池パックの一例についてその端子台付近の分解斜視構造を模式的に示す断面図。
【図１０】同じく従来の電池パックの一例についてその端子台付近における電池パックの断面構造を模式的に示す断面図。
【図１１】端子台にＨＶＩＬスイッチの設けられた従来の電池パックの他の例についてその端子台付近の分解斜視構造を模式的に示す斜視図。
【図１２】同じく端子台にＨＶＩＬスイッチの設けられた従来の電池パックの他の例についてその端子台付近における電池パックの断面構造を模式的に示す断面図。
【符号の説明】
【００５９】
１０，６０…ケース、１１，６１…端子台、１２，６２…端子カバー、１３，１４，６８，６９…端子接続部、２０，２１…シール部材、２６〜２８…端子台装着ボルト取付部、３２〜３４…インサートカラー（導通部材）、３５〜３８…端子カバー装着ボルト取付部、４７，４８…バスバー（導通部材）、４９…端子台装着ボルト、５１…端子カバー装着ボルト、６３…アースプレート（導通部材）、６３ａ…周縁部、６６，６７…丸端子。
【図１】
0005096075.tif 000002
【図２】
0005096075.tif 000003
【図３】
0005096075.tif 000004
【図４】
0005096075.tif 000005
【図５】
0005096075.tif 000006
【図６】
0005096075.tif 000007
【図７】
0005096075.tif 000008
【図８】
0005096075.tif 000009
【図９】
0005096075.tif 000010
【図１０】
0005096075.tif 000011
【図１１】
0005096075.tif 000012
【図１２】
0005096075.tif 000013